(57)【要約】【課題】通路を開閉しようとする所の周辺にある取付スペースが狭い場合にも設置することができ、アクチュエータなどの部品を共用化してコストを低減することができる遊技媒体用通路のシャッター装置を提供する。【解決手段】シャッター部材８１が通路を間にしてアクチュエータ８２とは反対側である通路の略下方位置に配され、シャッター部材８１が通路の略下方位置から通路内に進出して遊技媒体の流れを止める一方、シャッター部材８１が、通路内から排出口７５を通って通路の略下方位置に退避するとき、下段側の通路７１の始端部に溜まった遊技媒体を排出口７５へ追い出すようにし、溜まった遊技媒体を噛み込むことなく、シャッター部材８１を確実に退避するようにした。【選択図】図１
2004337390.tif 000002
【特許請求の範囲】
【請求項１】
遊技に使用される遊技媒体が流れる通路を開閉するための遊技媒体用通路のシャッター装置において、
前記通路を開閉するためのシャッター部材と、該シャッター部材から離れて配されたアクチュエータと、該アクチュエータの動力を前記シャッター部材に伝達するための伝達機構とを備えたことを特徴とする遊技媒体用通路のシャッター装置。
【請求項２】
遊技に使用される遊技媒体が流れる通路を開閉するための遊技媒体用通路のシャッター装置において、
前記通路を開閉するためのシャッター部材と、該シャッター部材から離れて配されたアクチュエータと、該アクチュエータの動力を前記シャッター部材に伝達するための伝達機構とを備え、
前記シャッター部材は、前記通路を間にして前記アクチュエータとは反対側に配されていることを特徴とする遊技媒体用通路のシャッター装置。
【請求項３】
遊技に使用される遊技媒体が流れる通路を開閉するための遊技媒体用通路のシャッター装置において、
前記通路を開閉するためのシャッター部材と、該シャッター部材から離れて配されたアクチュエータと、該アクチュエータの動力を前記シャッター部材に伝達するための伝達機構とを備え、
前記シャッター部材は、前記通路を間にして前記アクチュエータとは反対側である前記通路の下方に配され、該通路の下方から該通路内に進退することで該通路を開閉するように構成されていることを特徴とする遊技媒体用通路のシャッター装置。
【請求項４】
遊技に使用される遊技媒体が上段側の通路の終端部から下段側の通路の始端部に流れるように通路が形成され、該通路を開閉するためのものであり、前記下段側の通路の始端部に遊技媒体の流れる方向とは反対の方向に遊技媒体を排出するための排出口が開設されている遊技媒体用通路のシャッター装置において、
前記通路を開閉するためのシャッター部材と、該シャッター部材から離れて配されたアクチュエータと、該アクチュエータの動力を前記シャッター部材に伝達するための伝達機構とを備え、
前記シャッター部材は、前記通路を間にして前記アクチュエータとは反対側である前記通路の略下方位置に配され、該通路の略下方位置から該通路内に進退することで該通路を開閉するように構成され、
さらに、前記シャッター部材は、前記通路内から前記排出口を通って前記上段側の通路の略下方位置に退避するときに、前記下段側の通路の始端部に溜まった遊技媒体を前記排出口へ追い出すように形成されていることを特徴とする遊技媒体用通路のシャッター装置。
【請求項５】
前記シャッター部材は、前記通路内に進出した進出位置と前記通路内から退避した退避位置とに揺動可能に配され、
さらに、前記シャッター部材は、前記進出位置と前記退避位置との間の中間位置を中立点にして、該中立点から前記進出位置寄りでは進出する方向に付勢される一方、前記中立点から前記退避位置寄りでは退避する方向に付勢されていることを特徴とする請求項１〜４の何れかに記載の遊技媒体用通路のシャッター装置。
【請求項６】
前記伝達機構は、前記シャッター装置の本体部材と、該本体部材に揺動可能に支持され、前記アクチュエータが連結された第１伝達部材と、該第１伝達部材に連結された第２伝達部材と、該第２伝達部材に連結され、前記本体部材に揺動可能に支持された前記シャッター部材とから４節回転連鎖機構を構成していることを特徴とする請求項１〜５の何れかに記載の遊技媒体用通路のシャッター装置。
【請求項７】
前記第２伝達部材は、ピン部材であり、
前記第２伝達部材は、前記第１伝達部材と前記シャッター部材との一方に支持され、かつ、前記第１伝達部材と前記シャッター部材との他方に穿設された長孔に移動可能に嵌合していることを特徴とする請求項６に記載の遊技媒体用通路のシャッター装置。
【請求項８】
前記第１伝達部材は、前記アクチュエータの動力により前記第１伝達部材が揺動するとき、前記通路内に進退することで該通路を開閉するシャッター用の爪部を備えていることを特徴とする請求項６または７に記載の遊技媒体用通路のシャッター装置。
【請求項９】
前記第１伝達部材のシャッター用の爪部は、前記第２伝達部材を取り付けるための取付部を備えていることを特徴とする請求項８に記載の遊技媒体用通路のシャッター装置。
【発明の詳細な説明】
【０００１】
【発明の属する技術分野】
本発明は、遊技に使用される遊技媒体が流れる通路を開閉するための遊技媒体用通路のシャッター装置に関するものである。
【０００２】
【従来の技術】
従来の遊技媒体用通路のシャッター装置としては、シャッター部材がパチンコ玉の流れる通路に上方から下りて、パチンコ玉の流れを止めるようにしたものがある。しかし、シャッター部材が下りるとき、通路にパチンコ玉が滞留しているとき、滞留しているパチンコ玉を噛み込んでしまって、シャッター部材が通路を確実に閉塞できない。
【０００３】
シャッター部材がパチンコ玉を噛み込まないように、シャッター装置を通路の下方に配し、アクチュエータが作動すると、堰部材であるシャッター部材がパチンコ玉の流れる通路の下方から通路内に進出し、パチンコ玉の流れを止めるようにして、シャッター部材がパチンコ玉を噛み込まないようにして、通路を確実に閉塞して、パチンコ玉の流れを止めるようにしたものがある（特許文献１参照。）。
【０００４】
【特許文献１】
特開平１０−１１８３０６号公報
【０００５】
【発明が解決しようとする課題】
しかしながら、従来の遊技媒体用通路のシャッター装置では、通路の下方にシャッター部材およびアクチュエータを一緒に設置するような取付スペースがない場合には、このシャッター装置を設置できないという問題点があった。
また、通路の下方に取付スペースがあっても、シャッター部材やアクチュエータをそのまま設置できない場合に、通路の周辺の取付スペースにその大きさや形状を合わせた専用のシャッター部材やアクチュエータを用いると、シャッター装置の部品の共用化が図れず、コストが嵩む要因になるという問題点があった。
【０００６】
本発明は、従来の問題点に鑑みてなされたもので、シャッター部材から離してアクチュエータを配し、アクチュエータの動力を伝達機構によってシャッター部材に伝えることで、通路を開閉しようとする所の周辺にある狭い取付スペースにシャッター部材を配する一方、そこから離れた場所にアクチュエータを配し、両者の間を伝達機構で連結することができ、取付スペースの広さに関係なく装置を設置することができ、また、取付スペースの広さやその取付スペースから離れた場所までの距離、その場所のスペースの広さなどの取付条件が異なる様々な通路に応じて、伝達機構の構成を工夫することで、アクチュエータなどの部品を共用化し、コストの低減を図ることができる遊技媒体用通路のシャッター装置を提供することを目的としている。
【０００７】
また、シャッター部材を通路を間にしてアクチュエータとは反対側に配して、通路の両側に十分な取付スペースがない場合にも、シャッター部材とアクチュエータとを分散して設置することができる遊技媒体用通路のシャッター装置を提供することを目的としている。
【０００８】
【課題を解決するための手段】
かかる目的を達成するための本発明の要旨とするところは、次の各項の発明に存する。
［１］遊技に使用される遊技媒体が流れる通路を開閉するための遊技媒体用通路のシャッター装置（８０）において、
前記通路を開閉するためのシャッター部材（８１）と、該シャッター部材（８１）から離れて配されたアクチュエータ（８２）と、該アクチュエータ（８２）の動力を前記シャッター部材（８１）に伝達するための伝達機構とを備えたことを特徴とする遊技媒体用通路のシャッター装置（８０）。
【０００９】
［２］遊技に使用される遊技媒体が流れる通路を開閉するための遊技媒体用通路のシャッター装置（８０）において、
前記通路を開閉するためのシャッター部材（８１）と、該シャッター部材（８１）から離れて配されたアクチュエータ（８２）と、該アクチュエータ（８２）の動力を前記シャッター部材（８１）に伝達するための伝達機構とを備え、
前記シャッター部材（８１）は、前記通路を間にして前記アクチュエータ（８２）とは反対側に配されていることを特徴とする遊技媒体用通路のシャッター装置（８０）。
【００１０】
［３］遊技に使用される遊技媒体が流れる通路を開閉するための遊技媒体用通路のシャッター装置（８０）において、
前記通路を開閉するためのシャッター部材（８１）と、該シャッター部材（８１）から離れて配されたアクチュエータ（８２）と、該アクチュエータ（８２）の動力を前記シャッター部材（８１）に伝達するための伝達機構とを備え、
前記シャッター部材（８１）は、前記通路を間にして前記アクチュエータ（８２）とは反対側である前記通路の下方に配され、該通路の下方から該通路内に進退することで該通路を開閉するように構成されていることを特徴とする遊技媒体用通路のシャッター装置（８０）。
【００１１】
［４］遊技に使用される遊技媒体が上段側の通路（６１）の終端部から下段側の通路（７１）の始端部に流れるように通路が形成され、該通路を開閉するためのものであり、前記下段側の通路（７１）の始端部に遊技媒体の流れる方向とは反対の方向に遊技媒体を排出するための排出口（７５）が開設されている遊技媒体用通路のシャッター装置（８０）において、
前記通路を開閉するためのシャッター部材（８１）と、該シャッター部材（８１）から離れて配されたアクチュエータ（８２）と、該アクチュエータ（８２）の動力を前記シャッター部材（８１）に伝達するための伝達機構とを備え、
前記シャッター部材（８１）は、前記通路を間にして前記アクチュエータ（８２）とは反対側である前記通路の略下方位置に配され、該通路の略下方位置から該通路内に進退することで該通路を開閉するように構成され、
さらに、前記シャッター部材（８１）は、前記通路内から前記排出口（７５）を通って前記上段側の通路（６１）の略下方位置に退避するときに、前記下段側の通路（７１）の始端部に溜まった遊技媒体を前記排出口（７５）へ追い出すように形成されていることを特徴とする遊技媒体用通路のシャッター装置（８０）。
【００１２】
［５］前記シャッター部材（８１）は、前記通路内に進出した進出位置と前記通路内から退避した退避位置とに揺動可能に配され、
さらに、前記シャッター部材（８１）は、前記進出位置と前記退避位置との間の中間位置を中立点にして、該中立点から前記進出位置寄りでは進出する方向に付勢される一方、前記中立点から前記退避位置寄りでは退避する方向に付勢されていることを特徴とする［１］〜［４］の何れかに記載の遊技媒体用通路のシャッター装置（８０）。
【００１３】
［６］前記伝達機構は、前記シャッター装置の本体部材（８３）と、該本体部材（８３）に揺動可能に支持され、前記アクチュエータ（８２）が連結された第１伝達部材（８４）と、該第１伝達部材（８４）に連結された第２伝達部材（８５）と、該第２伝達部材（８５）に連結され、前記本体部材（８３）に揺動可能に支持された前記シャッター部材（８１）とから４節回転連鎖機構を構成していることを特徴とする［１］〜［５］の何れかに記載の遊技媒体用通路のシャッター装置（８０）。
【００１４】
［７］前記第２伝達部材（８５）は、ピン部材であり、
前記第２伝達部材（８５）は、前記第１伝達部材（８４）と前記シャッター部材（８１）との一方に支持され、かつ、前記第１伝達部材（８４）と前記シャッター部材（８１）との他方に穿設された長孔（８１ａ）に移動可能に嵌合していることを特徴とする［６］に記載の遊技媒体用通路のシャッター装置（８０）。
【００１５】
［８］前記第１伝達部材（８４）は、前記アクチュエータ（８２）の動力により前記第１伝達部材（８４）が揺動するとき、前記通路内に進退することで該通路を開閉するシャッター用の爪部（８４ａ）を備えていることを特徴とする［６］または［７］に記載の遊技媒体用通路のシャッター装置（８０）。
【００１６】
［９］前記第１伝達部材（８４）のシャッター用の爪部（８４ａ）は、前記第２伝達部材（８５）を取り付けるための取付部（８４ｂ）を備えていることを特徴とする［８］に記載の遊技媒体用通路のシャッター装置（８０）。
【００１７】
シャッター装置（８０）は以下のように設置される。
シャッター部材（８１）からアクチュエータ（８２）を離して配し、アクチュエータ（８２）の動力を伝達機構によってシャッター部材（８１）に伝えることで、通路を開閉しようとする所の周辺にある取付スペースが狭く、その取付スペースだけではシャッター部材（８１）およびアクチュエータ（８２）を隣接して配することができない場合にも、その狭い取付スペースにシャッター部材（８１）を配し、その取付スペースから離れた場所にアクチュエータ（８２）を配し、両者の間の動力伝達経路を伝達機構によって構成することができ、通路を開閉しようとする所の周辺にある取付スペースの広さに関係なく、シャッター装置を設置することができる。
【００１８】
また、通路を開閉しようとする所の周辺にある取付スペースの広さやその取付スペースから離れた場所までの距離、その場所のスペースの広さなどの取付条件が異なる様々な通路に応じて、伝達機構の構成を工夫することで、アクチュエータ（８２）などの部品を共用化することができる。
【００１９】
このシャッター装置（８０）では、遊技媒体が通路を流れているとき、シャッター部材（８１）は通路から退避している。アクチュエータ（８２）が作動すると、アクチュエータ（８２）の動力が伝達機構を介してシャッター部材（８１）に供給され、シャッター部材（８１）が通路を開閉して、遊技媒体の流れを止めたり、反対に、遊技媒体の流れを許容したりすることができる。
【００２０】
シャッター部材（８１）が通路を間にしてアクチュエータ（８２）とは反対側に配されているものでは、シャッター部材（８１）とアクチュエータ（８２）とを分散して、通路の両側に配することができ、通路の両側の取付スペースがそれぞれ広くなくても、装置を設置することができる。
【００２１】
このシャッター装置（８０）では、遊技媒体が通路を流れているとき、シャッター部材（８１）は通路から退避している。アクチュエータ（８２）が作動すると、通路の一方側にあるアクチュエータ（８２）の動力が伝達機構を介して通路の他方側にあるシャッター部材（８１）に供給され、シャッター部材（８１）が通路を開閉して、遊技媒体の流れを止めたり、反対に、遊技媒体の流れを許容したりすることができる。
【００２２】
シャッター部材（８１）が通路を間にしてアクチュエータ（８２）とは反対側である通路の下方に配され、通路の下方から通路内に進退することで通路を開閉するように配されているものでは、シャッター部材（８１）とアクチュエータ（８２）とを通路の上下方に分散して配することができ、通路の上下の取付スペースがそれぞれ広くなくても、本装置を設置することができる。
【００２３】
このシャッター装置（８０）では、遊技媒体が通路を流れているとき、シャッター部材（８１）は通路の下方に退避している。アクチュエータ（８２）が作動すると、アクチュエータ（８２）の動力が伝達機構を介してシャッター部材（８１）に供給され、シャッター部材（８１）が下方から通路内に進出して、遊技媒体の流れを止めることができる。
【００２４】
シャッター部材（８１）が下方から通路の内部に進出して、遊技媒体の流れを堰き止めるようになるので、シャッター部材（８１）と通路の底部とで遊技媒体を噛み込むようなことがなく、通路を確実に閉塞して、遊技媒体の流れを止めることができる。
【００２５】
遊技に使用される遊技媒体が上段側の通路（６１）の終端部から下段側の通路（７１）の始端部に流れるように通路が形成され、下段側の通路（７１）の始端部に遊技媒体の流れる方向とは反対の方向に遊技媒体を排出するための排出口（７５）が開設され、そのような通路を開閉するためのシャッター装置（８０）は、以下のように動作する。
【００２６】
すなわち、アクチュエータ（８２）が作動すると、その動力がシャッター部材（８１）に供給され、シャッター部材（８１）が通路の略下方位置から排出口（７５）を通って通路内に進出し、遊技媒体の流れを止める。
【００２７】
同じく、アクチュエータ（８２）が作動して、シャッター部材（８１）が、通路内から排出口（７５）を通って通路の略下方位置に退避すると遊技媒体が上段側の通路（６１）の終端部から下段側の通路（７１）の始端部に流れる。シャッター部材（８１）が退避するときに、下段側の通路（７１）の始端部に遊技媒体が溜まっていると、その遊技媒体を排出口（７５）へ追い出すようになる。それにより、下段側の通路（７１）の始端部に遊技媒体が溜まっていても、シャッター部材（８１）は、遊技媒体を噛み込むことなく、確実に退避する。
【００２８】
シャッター部材（８１）は、通路内に進出した進出位置と通路内から退避した退避位置とに揺動可能に配され、さらに、シャッター部材（８１）は、進出位置と退避位置との間の中間位置を中立点にして、中立点から進出位置寄りでは進出する方向に付勢される一方、中立点から退避位置寄りでは退避する方向に付勢されているものでは、以下のように、シャッター部材（８１）が動作する。
【００２９】
シャッター部材（８１）が退避位置にあるとき、アクチュエータ（８２）の動力がシャッター部材（８１）に供給されると、シャッター部材（８１）は、退避位置から中立点までは付勢力に抗して揺動する。シャッター部材（８１）が中立点を越えると、アクチュエータ（８２）の動力の他に、付勢力によって、シャッター部材（８１）は進出位置に揺動する。また、付勢力によって、進出位置に揺動したシャッター部材（８１）のガタツキを抑えることができる。
【００３０】
一方、シャッター部材（８１）が進出位置にあるとき、アクチュエータ（８２）の動力がシャッター部材（８１）に供給されると、シャッター部材（８１）は、進出位置から中立点までは付勢力に抗して揺動する。シャッター部材（８１）が中立点を越えると、アクチュエータ（８２）の動力の他に、付勢力によって、シャッター部材（８１）が退避位置に揺動する。また、付勢力によって、退避位置に揺動したシャッター部材（８１）のガタツキを抑えることができる。
【００３１】
伝達機構は、シャッター装置の本体部材（８３）と、本体部材（８３）に揺動可能に支持され、アクチュエータ（８２）が連結された第１伝達部材（８４）と、第１伝達部材（８４）に連結された第２伝達部材（８５）と、第２伝達部材（８５）に連結され、本体部材（８３）に揺動可能に支持されたシャッター部材（８１）とから４節回転連鎖機構を構成しているものでは、以下のように、シャッター部材（８１）は動作する。
【００３２】
すなわち、アクチュエータ（８２）の動力が第１伝達部材（８４）に伝わると、第１伝達部材（８４）が揺動し、第１伝達部材（８４）に連結された第２伝達部材（８５）を介して、シャッター部材（８１）が揺動して、通路内に進退することで、遊技媒体の流れを止めることができる。また、装置を通路に取り付けるときに、伝達機構およびシャッター部材（８１）を一体的に取り扱うことができ、取付作業性が向上する。
【００３３】
第２伝達部材（８５）は、ピン部材であり、第２伝達部材（８５）は、第１伝達部材（８４）とシャッター部材（８１）との一方に支持され、かつ、第１伝達部材（８４）とシャッター部材（８１）との他方に穿設された長孔（８１ａ）に移動可能に嵌合しているものでは、以下のように、シャッター部材（８１）は動作する。
【００３４】
すなわち、アクチュエータ（８２）の動力が第１伝達部材（８４）に伝わると、第１伝達部材（８４）が揺動し、第１伝達部材（８４）に連結された第２伝達部材（８５）が長孔（８１ａ）内を移動し、その第２伝達部材（８５）の動きにより、シャッター部材（８１）が揺動して、通路内に進退することで、遊技媒体の流れを止めることができる。
【００３５】
第１伝達部材（８４）は、アクチュエータ（８２）の動力により第１伝達部材（８４）が揺動するとき、通路内に進退するように形成されたシャッター用の爪部（８４ａ）を備えているものでは、第１伝達部材（８４）をシャッター部材（８１）としても用いることができる。
【００３６】
すなわち、例えば、通路の下方に第１伝達部材（８４）を配し、同じく通路の下方に配したアクチュエータ（８２）が作動すると、第１伝達部材（８４）が揺動して、第１伝達部材（８４）のシャッター用の爪部（８４ａ）が、通路の下方から通路内に進出し、遊技媒体の流れを止めるようにすることができる。このように、第１伝達部材（８４）にシャッター用の爪部（８４ａ）を備えることで、第２伝達部材（８５）、シャッター部材（８１）は不要になる。
【００３７】
第１伝達部材（８４）のシャッター用の爪部（８４ａ）は、第２伝達部材（８５）が取り付けられる取付部（８４ｂ）を備えているものでは、第１伝達部材（８４）のシャッター用の爪部（８４ａ）で、遊技媒体の流れを直接止めるばかりではなく、第１伝達部材（８４）のシャッター用の爪部（８４ａ）に第２伝達部材（８５）を介してシャッター部材（８１）を連結することもできる。このとき、第１伝達部材（８１）や第２伝達部材（８５）の形状を工夫することで、シャッター部材（８１）およびアクチュエータ（８２）などの部品を共用化することができる。
【００３８】
【発明の実施の形態】
以下、本発明の実施の形態について図面を参照して説明する。図１〜図２０は、本発明の一実施の形態に係る遊技媒体用通路のシャッター装置を示している。図２〜図７に示すように、遊技機島１０は、複数台の遊技機１１を列設して形成されている。隣接する遊技機１１の間の隙間には台間玉貸機１２が配されている。遊技機島１０の中央の上部には上部タンク２０が配されている。遊技機島１０の下部には下部タンク６０ａが配されている。
【００３９】
遊技機島１０の中央部には、下部タンク６０ａ内のパチンコ球Ｐ１である遊技媒体を磨きながら上部タンク２０に揚送するための揚送装置４０が立設されている。上部タンク２０には、揚送装置４０の上端部から排出された遊技媒体を誘導するための誘導板２１が配されている。また、上部タンク２０の底部には、遊技媒体を排出するための排出口２２が開設されている。
【００４０】
各遊技機島１０の上部タンク２０間には渡り樋１５が架設され、上部タンク２０内で余剰になった遊技媒体を他の遊技機島１０の上部タンク２０脇のオーバーフロー管２７を介して下部タンク６０ａに渡すようになっている。
【００４１】
下部タンク６０ａは、揚送装置４０に寄りに配されているメインタンクであるタンク部材６０と遊技機島１０の端に寄りに配されているサブタンク６５とから成る。タンク部材６０の床面６１に沿うようにアウト玉通路６３が配されている。また、サブタンク６５内の遊技媒体をアウト玉通路６３に送るための循環リフト６７が設けられている。さらに、タンク部材６０から排出された遊技媒体および、アウト玉通路６３から流れた遊技媒体を揚送装置４０に供給するための供給樋６８が設けられている。供給樋６８は、タンク部材６０の床面６１を転動して玉排出部６２から排出される遊技媒体を揚送装置４０に引き渡すようになっている。
【００４２】
タンク部材６０は、その床面６１が玉排出部６２に向かってなだらかに下方に傾斜しており、タンク部材６０内の遊技媒体が傾斜に従って玉排出部６２に向かって転がるように構成されている。タンク部材６０には、例えば遊技機島１０の端部に配設された計数機（図示省略）、タンク用樋３５や各遊技機１１から遊技媒体が送られる。これに対して、サブタンク６５は、その床面６５ａがタンク部材６０と同様に所定の傾斜角度で下流側に向かって下方に傾斜している。
【００４３】
遊技機島１０は、上部タンク２０内の遊技媒体が各遊技機１１に補給され、各遊技機１１で用いられた遊技媒体（アウト玉）がアウト玉レール６９を流れ、タンク部材６０の床面６１に沿うように配されたアウト玉通路６３を通り、供給樋６８から揚送装置４０へ流れ、揚送装置４０によって上部タンク２０に戻るようにするための第１循環機構と、上部タンク２０内の遊技媒体が各遊技機１１に補給されることなく下部タンク６０ａに戻り、同じくアウト玉通路６３を通り、供給樋６８から揚送装置４０へ流れ、揚送装置４０によって上部タンク２０に戻るようにするための第２循環機構と、上部タンク２０から溢れた遊技媒体がオーバーフロー管２７を通って遊技機島１０の中央下部に流下し、分流部材２８で遊技島機１０の一端部の方向と他端部の方向とに別れ、樋状部材５０を通ってタンク部材６０に戻り、タンク部材６０から排出された遊技媒体が供給樋６８から揚送装置４０へ流れ、揚送装置４０によって上部タンク２０に戻るようにするための第３循環機構とを備えている。
【００４４】
第１循環機構は、各遊技機１１の上方にあって、上部タンク２０側から遊技機島１０の端の上部に延設され、上部タンク２０から排出された遊技媒体が各遊技機１１にそれぞれ流れるように配された遊技機用樋３０を備えている。遊技機用樋３０は、上部タンク２０から各遊技機１１や台間玉貸機１２の上部を遊技機島１０の端に向かってなだらかに下方に傾斜しており、上部タンク２０から各遊技機１１や台間玉貸機１２に対して、遊技媒体を供給するようになっている。
【００４５】
第２循環機構は、上部タンク２０から排出された遊技媒体が遊技機島１０の端の上部に流れるようにすることで、遊技媒体を遊技機島１０の端の上部から下部タンク６０ａに流すことができるように配されたタンク用樋３５を備えている。
タンク用樋３５は、遊技機用樋３０と同じく、上部タンク２０から各遊技機１１や台間玉貸機１２の上部を遊技機島１０の端に向かってなだらかに下方に傾斜している。遊技機用樋３０とタンク用樋３５とは、上段と下段との位置関係になるようにそれぞれ配されている。
【００４６】
また、遊技機島１０は、上部タンク２０内の遊技媒体を分けることで第１循環機構および第２循環機構にそれぞれ流すための分岐部材３８を備えている。分岐部材３８は、上部タンク２０から排出された遊技媒体の流れを分岐することで、遊技媒体が遊技機用樋３０およびタンク用樋３５へそれぞれ流れるように配されている。
【００４７】
図１および図８〜図１３に示すように、第３循環機構において、樋状部材５０は、遊技媒体がタンク部材６０の下流部６１ｂから上流部６１ａに向かってこぼれ落ちることなく流れる一方、タンク部材６０が遊技媒体で満たされている所でこぼれ落ちることで、タンク部材６０が上流部６１ａから下流部６１ｂの順に遊技媒体で満たされるように配されている。
【００４８】
また、第３循環機構は、タンク部材６０内の遊技媒体が玉排出部６２を通って、上段側の通路である床面６１の終端部から排出ステージである下段側の通路７１の始端部に流れるようになっている。床面６１の終端部は下段側の通路７１の始端部の上方まで延出されている。下段側の通路７１は、遊技媒体が両脇に流れるような屋根形に形成されている。下段側の通路７１の両脇には、下段側の通路７１からこぼれ落ちた遊技媒体が流入する脇通路７２が配されている。脇通路７２は供給樋６８に通じている。下段側の通路７１の下方にはアウト玉通路６３が配されている。脇通路７２とアウト玉通路６３とは、両通路をそれぞれ通った遊技媒体が供給樋６８の始端部で合流するように形成されている。
【００４９】
下段側の通路７１の始端部には、遊技媒体の流れる方向とは反対の方向に遊技媒体を排出するための排出口７５が開設されている。排出口７５は、アウト玉通路６３に通じていて、遊技媒体が下段側の通路７１から排出口７５を通ってアウト玉通路６３へ排出できるように形成されている。排出口７５の口縁部７５ａは、下段側の通路７１上の遊技媒体を脇通路７２へ流すように斜め上方に傾斜している。
【００５０】
第３循環機構において、遊技媒体が上段側の通路である床面６１から玉排出部６２を通って下段側の通路７１に流れる通路を開閉するためのシャッター装置８０が備えられている。
【００５１】
シャッター装置８０は、通路を開閉するためのシャッター部材８１と、シャッター部材８１に動力を供給するためのアクチュエータ８２とを備えている。シャッター部材８１は、通路を間にしてアクチュエータ８２とは反対側である通路の略下方位置に配され、通路の略下方位置から通路内に進退することで通路を開閉するように構成されている。
【００５２】
さらに、シャッター部材８１は、通路内から排出口７５を通って通路の略下方位置に退避するときに、下段側の通路７１の始端部に溜まった遊技媒体を排出口７５へ追い出すように形成されている。
【００５３】
シャッター装置８０は、アクチュエータ８２の動力をシャッター部材８１に伝達するための伝達機構を備えている。伝達機構は、シャッター装置８０の本体部材８３と、本体部材８３に揺動可能に支持され、前記アクチュエータ８２が連結された第１伝達部材８４と、第１伝達部材８４に連結された第２伝達部材８５と、第２伝達部材８５に連結され、本体部材８３に揺動可能に支持されたシャッター部材８１とから４節回転連鎖機構を構成している。
【００５４】
本実施の形態において、第２伝達部材８５は、ピン部材であり、第１伝達部材８４に連結ブラケット８５ａを介して支持され、シャッター部材８１に穿設された長孔８１ａに移動可能に嵌合している。ピン部材である第２伝達部材８５は、連結ブラケット８５ａの両側フランジ８５ｂにそれぞれ固設されている。
【００５５】
シャッター部材８１は、長孔８１ａがそれぞれ穿設されている一対の連結部８１ｂと、遊技媒体の流れを止めるための堰止め部８１ｃとを一体的に形成して成る。堰止め部８１ｃは、一対の連結部８１ｂの間に架け渡されるように形成されている。
【００５６】
アクチュエータ８２は本体部材８３に固定されている。本体部材８３は、略箱形に形成され、アクチュエータ８２を載置固定するための底部８３ａと、両側壁８３ｂ、タンク部材６０の周壁に対面している前壁８３ｃとから成る。アクチュエータ８２の出力軸が連結ロッド８２ａを介して第１伝達部材８４に連結されている。また、底部８３ａと前壁８３ｃとの間には、第２伝達部材８５の連結ブラケット８５ａが通る隙間が形成されている。さらに、両側壁８３ｂから下方にそれぞれ延ばされた各延設部８３ｄには、シャッター部材８１の各連結部８１ｂが揺動可能にそれぞれ支持されている。
【００５７】
次に、上部タンク２０内の遊技媒体が遊技機用樋３０およびタンク用樋３５にどのように流れていくかについて説明する。上部タンク２０から排出された遊技媒体の流れは分岐部材３８によって分岐され、遊技媒体は、第１循環機構および第２循環機構にそれぞれ流れるようになる。
【００５８】
第１循環機構の方に流れた遊技媒体は、遊技機用樋３０を通って各遊技機１１の略上方の補給口（図示省略）から各遊技機１１および台間玉貸機１２に対してそれぞれ補給され、各遊技機１１で用いられた後に、アウト玉レール６９を流れ、アウト玉通路６３を通って、供給樋６８を介して揚送装置４０により、上部タンク２０に揚送される。
【００５９】
遊技機用樋３０内に遊技媒体がほとんど無い状態であれば、遊技媒体は遊技機用樋３０の両端を流れず、遊技機用樋３０の両端にある補給口を通過して、遊技機用樋３０の終端に達してしまうが、遊技媒体が遊技機用樋３０の終端の方から遊技機用樋３０の始端の方へ満たされていき、やがて、遊技媒体が遊技機用樋３０の両端を流れるようになって、遊技媒体が補給口から各遊技機１１に補給されるようになる。すなわち、遊技機用樋３０によって、上部タンク２０内の遊技媒体を各遊技機１１に確実に補給することができる。
【００６０】
一方、第２循環機構の方に流れた遊技媒体は、タンク用樋３５を通って、各遊技機１１に流下せず、各遊技機１１や台間玉貸機１２で用いられることなく、遊技機島１０の端の上部に達してから、下部タンク６０ａ（サブタンク６５）に戻され、サブタンク６５の床面６５ａに沿って、下流側に向かって転動し、サブタンク６５から循環リフト６７でアウト玉通路６３に搬送され、アウト玉通路６３に沿って、下流側に向かって転動し、供給樋６８を介して揚送装置４０により、上部タンク２０に揚送される。
【００６１】
このとき、遊技媒体が各遊技機１１へ補給されない状態が継続し、遊技機用樋３０が遊技媒体で一杯な状態になっても、遊技機用樋３０の状態の影響を受けることなく、上部タンク２０内の遊技媒体はタンク用樋３５を流れて、遊技機島１０の端の上部からサブタンク６５に流れるようになる。したがって、サブタンク６５内の遊技媒体が適量になる。すなわち、タンク用樋３５によって、上部タンク２０内の遊技媒体を各遊技機１１に補給することなくサブタンク６５に確実に戻すことができ、サブタンク６５内の遊技媒体を適量な状態に維持することができる。さらに、遊技媒体を下部タンク６０ａ（サブタンク６５）から上部タンク２０に確実に揚送することができ、上部タンク２０内の遊技媒体を適量な状態に維持することもできる。
【００６２】
次に、第３循環機構の通路にシャッター装置８０を取り付けるときの取付作業について主に説明する。第３循環機構の通路においては、シャッター部材８１を上段側の通路である床面６１の略下方位置に配し、同じく構成部品であるアクチュエータ８２を通路の上方に配することで、図８から判るように、床面６１の下方にシャッター装置８０の全体を取り付けるスペースがないような所であっても、シャッター装置８０の構成部品（シャッター部材８１、アクチュエータ８２）を上下に分散して配すれば、本シャッター装置８０を設置することができる。
【００６３】
また、シャッター装置８０の本体部材８３に、シャッター部材８１、アクチュエータ８２、第１伝達部材８４および第２伝達部材８５が予め組み付けられているので、シャッター装置８０の各構成部品を一体的に取り扱うことができる。
【００６４】
さらに、本体部材８３が通路に対する位置決め手段を備えている。すなわち、本体部材８３の位置決め手段である係止凹部８３ｅおよび係止ピン８３ｆをタンク部材６０の周壁側の係止部材６１ｃおよび凹部ブラケット６１ｄにそれぞれ係止すれば、シャッター装置８０をタンク部材６０に対して位置決めすることができる。次に、本体部材８３をタンク部材６０の周壁にネジ止めすれば、シャッター装置８０をタンク部材６０に固定することができる。それにより、通路にシャッター装置８０を取り付ける取付作業性が極めてよくなる。
【００６５】
次に、第３循環機構において、遊技媒体がどのように流れるかについて説明する。上部タンク２０から溢れた遊技媒体は、オーバーフロー管２７を通って遊技機島１０の中央下部に流下し、分流部材２８で遊技機島１０の一端部の方向と他端部の方向とに別れ、樋状部材５０を通ってタンク部材６０に戻る。タンク部材６０内の遊技媒体は玉排出部６２から排出ステージである下段側の通路７１に排出され、脇通路７２にこぼれ落ち、脇通路７２を通って、供給樋６８から揚送装置４０へ流れ、揚送装置４０によって上部タンク２０に戻る。
【００６６】
第３循環機構において、シャッター装置８０のアクチュエータ８２の動力がどのようにシャッター部材８１に伝わるのかについて主に説明する。すなわち、アクチュエータ８２の動力が第１伝達部材８４に伝わると、第１伝達部材８４が揺動し、第１伝達部材８４に連結ブラケット８５ａを介して連結されたピン部材である第２伝達部材８５が長孔８１ａ内を移動し、その第２伝達部材８５の動きにより、シャッター部材８１が揺動する。
【００６７】
次に、シャッター装置８０全体では、どのように動作するかについて説明する。図８に想像線で示し、また、図１１に示すように、第１伝達部材８４がその取付部８４ｂを残して本体部材８３の内部に没入した状態にあり、また、シャッター部材８１が通路を開放した状態にある。
【００６８】
アクチュエータ８２が作動すると、第１伝達部材８４が揺動軸を中心にして図１１で反時計方向に揺動し、ピン部材である第２伝達部材８５が、シャッター部材８１の長孔８１ａ内を移動する。それにより、シャッター部材８１が図１１において時計方向に揺動し、図８に実線で示し、また、図１２に示すように、シャッター部材８１が通路の略下方位置から排出口７５を通って通路内に進出し、シャッター部材８１の堰止め部８１ｃが遊技媒体の流れを止める。シャッター部材８１が通路の略下方位置から通路の内部に進出して、遊技媒体の流れを堰き止めるようになるので、例えば、シャッター部材８１が床面６１とで遊技媒体を噛み込んだりあるいは、下流側の通路７１とで遊技媒体を噛み込んだりすることがなく、通路を確実に閉塞して、遊技媒体の流れを止めることができる。
【００６９】
同じく、図８に実線で示し、また、図１２に示すように、シャッター部材８１が遊技媒体の流れを止めているとき、アクチュエータ８２が作動すると、その動力が伝達機構を介してシャッター部材８１に供給される。すなわち、第１伝達部材８４が、揺動軸を中心にして図１２で時計方向に揺動し、ピン部材である第２伝達部材８５が、シャッター部材８１の長孔８１ａ内を移動する。それにより、シャッター部材８１が図１２において反時計方向に揺動し、図８で想像線で示し、また、図１１に示すように、通路内から排出口７５を通って通路の略下方位置に退避し、遊技媒体が床面６１の終端部から下段側の通路７１の始端部に流れるようになる。
【００７０】
シャッター部材８１が通路の略下方位置に退避するときに、下段側の通路７１の始端部に遊技媒体が溜まっていると、その遊技媒体をシャッター部材８１の堰止め部８１ｃが排出口７５の方へ追い出し、遊技媒体が排出口７５からアウト玉通路６３に落下するようになる。それにより、下段側の通路７１の始端部に遊技媒体が溜まっていても、シャッター部材８１は、遊技媒体を下段側の通路７１とで噛み込むことなく、確実に退避する。また、遊技媒体が第３循環機構の下段側の通路７１の始端部に開設された排出口７５から第２循環機構のアウト玉通路６３を流れるようになる。
【００７１】
図１４〜図１６に示すように、第２循環機構の通路であるタンク用樋３５を開閉するためのシャッター装置８０が備えられている。すなわち、タンク用樋３５の終端部にはシャッター装置８０が配されている。
【００７２】
第２循環機構のシャッター装置８０のシャッター部材８１は、通路内に進出した進出位置と通路内から退避した退避位置とに揺動可能に支持され、さらに、シャッター部材８１は、進出位置と退避位置との間の中間位置を中立点にして、中立点から進出位置寄りでは進出する方向に付勢される一方、中立点から退避位置寄りでは退避する方向に付勢されている。また、連結ブラケット８５ａの両側フランジ部８５ｂにピン部材である第２伝達部材８５が架設され、第２伝達部材８５の両端部が両側フランジ８５ｂの嵌合凹部８５ｃにそれぞれ嵌め込まれるようにして固定されている。
【００７３】
第２循環機構のシャッター装置８０は次のように動作する。すなわち、シャッター部材８１が退避位置にあるとき、アクチュエータ８２の動力が第１伝達部材８４およびピン部材である第２伝達部材８５を介して、シャッター部材８１に伝達されると、第２伝達部材８５がシャッター部材８１の長孔８１ａ内を移動し、それにより、シャッター部材８１が退避位置から中立点までは巻きばね８８の付勢力に抗して揺動する。シャッター部材８１が中立点を越えると、アクチュエータ８２の動力の他に、巻きばね８８の付勢力によって、シャッター部材８１は進出位置に揺動する。また、巻きばね８８の付勢力によって、進出位置に揺動したシャッター部材８１のガタツキが抑えられる。
【００７４】
一方、シャッター部材８１が進出位置にあるとき、アクチュエータ８２の動力がシャッター部材８１に供給されると、シャッター部材８１は、進出位置から中立点までは巻きばね８８の付勢力に抗して揺動する。シャッター部材８１が中立点を越えると、アクチュエータ８２の動力の他に、巻きばね８８の付勢力によって、シャッター部材８１が退避位置に揺動する。また、巻きばね８８の付勢力によって、退避位置に揺動したシャッター部材８１のガタツキが抑えられる。
【００７５】
図１７〜図２０に示すように、渡り樋１５とオーバーフロー管２７とを連結している連結通路１６を開閉するためのシャッター装置８０が備えられている。すなわち、連結通路１６の下方にシャッター装置８０が配されている。
【００７６】
このシャッター装置８０の第１伝達部材８４は、アクチュエータ８２の動力により第１伝達部材８４が揺動するとき、通路内に進退するように形成されたシャッター用の爪部８４ａを備えている。それにより、連結通路１６に配されたシャッター装置８０では、第１伝達部材８４をシャッター部材８１として用いることができる。
【００７７】
連結通路１６に配されたシャッター装置８０においては、シャッター部材８１およびアクチュエータ８２が共に連結通路１６の下方に配されている。アクチュエータ８２が作動すると、第１伝達部材８４が揺動して、第１伝達部材８４のシャッター用の爪部８４ａが、連結通路１６の下方から連結通路１６内に進出し、遊技媒体の流れを止めるようにすることができる。このように、第１伝達部材８４にシャッター用の爪部８４ａを備えることで、第２伝達部材８５、シャッター部材８１は不要になる。
【００７８】
このシャッター装置８０においては、第１伝達部材８４のシャッター用の爪部８４ａは、第２伝達部材８５が取り付けられる取付部８４ｂを備えている。本実施の形態では、シャッター用の爪部８４ａと取付部８４ｂとが兼用になっている。それにより、第１伝達部材８４のシャッター用の爪部８４ａで、遊技媒体の流れを直接止めるばかりではなく、第１伝達部材８４の取付部８４ｂに第２伝達部材８５を介してシャッター部材８１を連結することもできる。
【００７９】
前述したように、連結通路１６の下方にシャッター装置８０を設置するためのスペースが十分にある場合はよいが、十分にスペースがない場合には、このように、第１伝達部材８４のシャッター用の爪部８４ａの取付部８４ｂを用い、その取付部８４ｂに第２伝達部材８５を介してシャッター部材８１を連結することで、シャッター装置８０の構成部品を分散して配することができる。このように、通路を開閉しようとする所の周辺の取付スペースの広さおよび、その取付スペースから離れている場所のスペースの広さ並びに、両スペース間の距離などの取付条件が異なる様々な通路に応じて、シャッター装置８０を適宜構成して設置することができる。また、様々な通路に設置する場合に、第１伝達部材８４、第２伝達部材８５を工夫することで、シャッター部材８１およびアクチュエータ８２を共通にして用いることができる。
【００８０】
本実施の形態に係る遊技媒体用通路のシャッター装置８０によれば、本体部材８３が通路に対する位置決め手段を備えているので、シャッター装置８０を通路に取り付けるとき、シャッター装置８０を簡単に位置決めすることができ、シャッター装置８０の取付作業性が向上する。
【００８１】
なお、前記実施の形態に係る遊技媒体用通路のシャッター装置８０では、ピン部材である第２伝達部材８５が第１伝達部材８４側に支持され、シャッター部材８１に穿設された長孔８１ａに移動可能に嵌合するものを示したが、これに限らず、ピン部材である第２伝達部材８５は、シャッター部材８１側に支持され、第１伝達部材８４に穿設された長孔に移動可能に嵌合するようにしてもよい。また、第２伝達部材８５は、ピン部材に限らず、例えば、第１伝達部材８４とシャッター部材８１とを連接する伝達用の連結部材であってもよい。
【００８２】
【発明の効果】
本発明に係る遊技媒体用通路のシャッター装置によれば、シャッター部材からアクチュエータを離して配し、アクチュエータの動力を伝達機構によってシャッター部材に伝達するようにしたので、通路を開閉しようとする所の周辺にある取付スペースが狭い場合にも、その狭い取付スペースにシャッター部材を配し、その取付スペースから離れた場所にアクチュエータを配し、取付スペースの広さに関係なく、シャッター装置を設置することができる。また、通路を開閉しようとする所の周辺にある取付スペースの広さやその取付スペースから離れた場所までの距離、その場所のスペースの広さなどの取付条件が異なる様々な通路に応じて、伝達機構の構成を工夫することで、アクチュエータなどの部品を共用化することができる。
【００８３】
また、シャッター部材が通路を間にしてアクチュエータとは反対側に配されているので、シャッター部材とアクチュエータとを分散して、通路の両側に配することができ、通路の両側の取付スペースがそれぞれ広くなくても、シャッター装置を設置することができる。さらに、シャッター部材が通路を間にしてアクチュエータとは反対側である通路の下方に配され、通路の下方から通路内に進退することで通路を開閉するように配されているので、通路の上下の取付スペースがそれぞれ広くなくても、本装置を設置することができる。また、シャッター部材が下方から通路の内部に進出して、遊技媒体の流れを堰き止めるようになるので、遊技媒体をシャッター部材と通路の底部とで噛み込むようなことがなく、通路を確実に閉塞して、遊技媒体の流れを止めることができる。
【００８４】
さらに、遊技に使用される遊技媒体が上段側の通路の終端部から下段側の通路の始端部に流れるように通路が形成され、下段側の通路の始端部に遊技媒体の流れる方向とは反対の方向に遊技媒体を排出するための排出口が開設され、シャッター部材が通路の略下方位置から通路内に進出して遊技媒体の流れを止める一方、シャッター部材が、通路内から排出口を通って上段側の通路の略下方位置に退避するとき、下段側の通路の始端部に溜まった遊技媒体を排出口へ追い出すようにしたので、溜まった遊技媒体を噛み込むことなく、シャッター部材を確実に退避することができる。
【００８５】
さらに、シャッター部材が通路内に進出した進出位置と通路内から退避した退避位置とに揺動可能に配され、シャッター部材が進出位置と退避位置との間の中間位置を中立点にして、中立点から進出位置寄りでは進出する方向に付勢される一方、中立点から退避位置寄りでは退避する方向に付勢されているので、シャッター部材が進出位置および退避位置のそれぞれの位置にあるとき、付勢力によってシャッター部材のガタツキを抑えることができる。
【００８６】
さらに、伝達機構は、シャッター装置の本体部材と、本体部材に揺動可能に支持された第１伝達部材と、第１伝達部材に連結された第２伝達部材と、第２伝達部材に連結され、本体部材に揺動可能に支持されたシャッター部材とから４節回転連鎖機構を構成しているので、装置を通路に取り付けるときに、伝達機構およびシャッター部材を一体的に取り扱うことができ、取付作業性が向上する。さらに、第２伝達部材がピン部材であり、第２伝達部材が第１伝達部材とシャッター部材との一方に支持され、かつ、第１伝達部材とシャッター部材との他方に穿設された長孔に移動可能に嵌合しているので、第２伝達部材を容易に製作し、第１伝達部材およびシャッター部材に連結することができ、伝達機構のコストを低減することができる。
【００８７】
さらに、第１伝達部材がアクチュエータの動力により第１伝達部材が揺動するとき、通路内に進退するように形成されたシャッター用の爪部を備えているので、第１伝達部材をシャッター部材としても用いることができ、第２伝達部材やシャッター部材を備えた装置のアクチュエータと共通のものを用いることができる。さらに、第１伝達部材のシャッター用の爪部は、第２伝達部材が取り付けられる取付部を備えているので、第１伝達部材のシャッター用の爪部で、遊技媒体の流れを直接止めるばかりではなく、第１伝達部材のシャッター用の爪部に第２伝達部材を介してシャッター部材を連結することもでき、このとき、第１伝達部材や第２伝達部材の各形状や配置など工夫することで、シャッター部材やアクチュエータを共用化することができる。
【図面の簡単な説明】
【図１】本発明の一実施の形態に係る遊技媒体用通路のシャッター装置の分解斜視図である。
【図２】本発明の一実施の形態に係る遊技機島の内部構造を示す正面図である。
【図３】本発明の一実施の形態に係る複数の遊技機島間に渡り樋が架設されている様子を示す遊技機島の側面図である。
【図４】本発明の一実施の形態に係る遊技機島の上部構造を示す正面図である。
【図５】本発明の一実施の形態に係る遊技機島の下部構造を示す正面図である。
【図６】本発明の一実施の形態に係る遊技機島の下部タンクおよび、その下部タンクの下流端に取り付けられた遊技媒体用通路のシャッター装置の正面図である。
【図７】本発明の一実施の形態に係る遊技機島の下部タンクの下流端に開設された玉排出部および、下部タンクの底部に沿って延設されたアウト玉通路の様子を示す側面図である。
【図８】本発明の一実施の形態に係る下部タンクの下流端に取り付けられた遊技媒体用通路のシャッター装置の取付状態を示す正面図である。
【図９】同じく、遊技媒体用通路のシャッター装置の取付状態を想像線で示す平面図である。
【図１０】同じく、遊技媒体用通路のシャッター装置の取付状態を示す側面図である。
【図１１】同じく、遊技媒体用通路のシャッター装置を示す正面図であり、退避位置に揺動した状態を示す図である。
【図１２】同じく、遊技媒体用通路のシャッター装置を示す正面図であり、進出位置に揺動した状態を示す図である。
【図１３】同じく、遊技媒体用通路のシャッター装置を示す平面図である。
【図１４】本発明の一実施の形態に係る遊技機島のタンク用樋の終端に取り付けられた遊技媒体用通路のシャッター装置の取付状態を示す正面図である。
【図１５】同じく、遊技媒体用通路のシャッター装置の取付状態を示す平面図である。
【図１６】同じく、遊技媒体用通路のシャッター装置の取付状態を示す側面図である。
【図１７】本発明の一実施の形態に係る遊技機島の渡り樋の下流側に取り付けられた遊技媒体用通路のシャッター装置の取付状態を示す正面図である。
【図１８】同じく、遊技媒体用通路のシャッター装置の取付状態を示す平面図である。
【図１９】同じく、遊技媒体用通路のシャッター装置の取付状態を示す側面図である。
【図２０】同じく、遊技媒体用通路のシャッター装置の正面図である。
【符号の説明】
１０…遊技機島
１１…遊技機
１２…台間玉貸機
１５…渡り樋
１６…連結通路
２０…上部タンク
２１…誘導板
２２…排出口
２７…オーバーフロー管
２８…分流部材
３０…遊技機用樋
３５…タンク用樋
３８…分岐部材
４０…揚送装置
５０…樋状部材
６０ａ…下部タンク
６０…タンク部材（メインタンク）
６１…床面（上段側の通路）
６１ａ…上流部
６１ｂ…下流部
６１ｃ…係止部材
６１ｄ…凹部ブラケット
６２…玉排出部
６３…アウト玉通路
６５…サブタンク
６５ａ…床面
６７…循環リフト
６８…供給樋
６９…アウト玉レール
７１…下段側の通路
７２…脇通路
７５…排出口
７５ａ…口縁部
８０…シャッター装置
８１…シャッター部材
８１ａ…長孔
８１ｂ…連結部
８１ｃ…堰止め部
８２…アクチュエータ
８２ａ…連結ロッド
８３…本体部材
８３ａ…底部
８３ｂ…側壁
８３ｃ…前壁
８３ｄ…延設部
８３ｅ…係止凹部
８３ｆ…係止ピン
８４…第１伝達部材
８４ａ…シャッター用の爪部
８４ｂ…取付部
８５…第２伝達部材
８５ａ…連結ブラケット
８５ｂ…側フランジ
８５ｃ…嵌合凹部
８８…巻きばね
【図１】
2004337390.tif 000003
【図２】
2004337390.tif 000004
【図３】
2004337390.tif 000005
【図４】
2004337390.tif 000006
【図５】
2004337390.tif 000007
【図６】
2004337390.tif 000008
【図７】
2004337390.tif 000009
【図８】
2004337390.tif 000010
【図９】
2004337390.tif 000011
【図１０】
2004337390.tif 000012
【図１１】
2004337390.tif 000013
【図１２】
2004337390.tif 000014
【図１３】
2004337390.tif 000015
【図１４】
2004337390.tif 000016
【図１５】
2004337390.tif 000017
【図１６】
2004337390.tif 000018
【図１７】
2004337390.tif 000019
【図１８】
2004337390.tif 000020
【図１９】
2004337390.tif 000021
【図２０】
2004337390.tif 000022